(57)【要約】【課題】一部の負荷へ給電するためのバイパス開閉器が閉路状態を継続する異常を検出することで、無停電電源装置が全停電するのを回避できるようにすることにある。【解決手段】無停電電源装置４の運転準備が整った状態で、且つ前記バイパス開閉器５に閉路指令が与えられるよりも前の時点で、当該バイパス開閉器の電源側端子の電圧と負荷側端子の電圧とを検出（処理１２）し、これら両電圧の差が所定値以上であるか否かを判定（判断２５）し、この差電圧が所定値以下のときに前記バイパス開閉器が異常であると判定して警報を発する。【選択図】        図１
2004282812.tif 000002
【特許請求の範囲】
【請求項１】
商用電源に一般負荷を接続すると共に、該商用電源にバイパス開閉器を介して特定負荷を接続し、且つ当該バイパス開閉器の負荷側に別途の電源で運転する電力変換装置を接続して無停電電源装置を構成し、前記バイパス開閉器を閉路して前記商用電源が前記一般負荷と特定負荷へ給電中に当該商用電源が停電すれば、前記電力変換装置を起動すると共に前記バイパス開閉器を開路する無停電電源装置の運転方法において、
前記無停電電源装置の運転準備が整った状態で、且つ前記バイパス開閉器に閉路指令が与えられるよりも前の時点で、当該バイパス開閉器の電源側端子の電圧と負荷側端子の電圧とを検出し、これら両電圧の差が所定値以上であるか否かを検出し、この差電圧が所定値以下のときに前記バイパス開閉器が異常であると判定することを特徴とする無停電電源装置用バイパス開閉器の異常診断方法。
【発明の詳細な説明】
【０００１】
【発明の属する技術分野】
この発明は、商用電源停電時でも無停電電源装置が特定負荷への給電を継続できるバイパス開閉器に異常を生じたことを検出できる無停電電源装置用バイパス開閉器の異常診断方法に関する。
【０００２】
【従来の技術】
図２は商用電源停電時に特定負荷への給電を継続出来る無停電電源装置の一般的な構成を示した単線系統図である。図２の単線系統図において、商用電源２からの交流電力は、電源開閉器３を介して一般負荷９へ供給されると共に、バイパス開閉器５を介して特定負荷８へも給電されるようになっている。また他の電源，例えばバッテリー７からの直流電力を交流電力に変換する電力変換装置としてのインバータ６を備えており、このインバータ６はバイパス開閉器５の負荷側に接続されている。無停電電源装置４は、これらバイパス開閉器５とインバータ６とバッテリー７とで構成している。
【０００３】
通常は電源開閉器３とバイパス開閉器５とが閉路していて、商用電源２が特定負荷８と一般負荷９へ交流電力を供給している。しかしこの商用電源２に異常を生じてその出力電圧が所定の電圧範囲を越えた場合や停電した場合は電源開閉器３を開路し、各負荷を商用電源２から切り離すと共に無停電電源装置４を始動させて、特定負荷８への電力供給を継続することになる。そのためには商用電源２の電圧を常時監視し、電圧異常時には警報を発する必要がある。ここで電圧を監視する対象となる交流電源は商用電源であってもよいし、インバータなどの電力変換装置が出力する交流電力であっても差し支えない（例えば、特許文献１参照。）。
【０００４】
【特許文献１】
特開昭６１−１０９４３０号公報
【０００５】
【発明が解決しようとする課題】
図２に図示の単線系統図で、前述したように商用電源２の出力電圧に異常を生じれば電源開閉器３を開路するのと同時にインバータ６が起動し、バッテリー７からの直流電力を交流電力に変換するから、特定負荷８と一般負荷９は停電することなく運転を継続できるのであるが、これらの負荷へ電力の供給を継続するにはインバータ６とバッテリー７に大きな容量を備えなければならないので、広い設置スペースが必要になるし、設置費用も多大になる不具合がある。そこでこれらの負荷を、商用電源２が故障の場合は停電させても差し支えがない一般負荷９と、停電は絶対に避けたい特定負荷８とに分け、商用電源２が停電した場合はバイパス開閉器５を開路させることにより、インバータ６からは特定負荷８のみへ電力を供給し、一般負荷９への給電は行わない構成にすることで、インバータ６とバッテリー７の設備容量を縮小させている。
【０００６】
しかしながらバイパス開閉器５が閉路状態のままで動かなくなるような故障（例えば接点の溶着）が生じていても、商用電源２が健全な場合は、このバイパス開閉器５は閉路したままであるから、その故障を検知できない。この状態で商用電源２が故障して電源開閉器３を開路させると、インバータ６の始動と共にバイパス開閉器５へは開路指令が与えられる。しかし当該バイパス開閉器５は閉路したままであるから、インバータ６からの交流電力はバイパス開閉器５を経て一般負荷９へも供給されてしまう。その結果インバータ６が過負荷トリップし、当該無停電電源装置４は停止となる。すなわち全停電となり、無停電電源装置４はその役割を果たせないという不具合を生じてしまう。
【０００７】
そこでこの発明の目的は、一部の負荷へ給電するためのバイパス開閉器が閉路状態を継続する異常を検出することで、無停電電源装置が全停電するのを回避できるようにすることにある。
【０００８】
【課題を解決するための手段】
前記の目的を達成するために、この発明の無停電電源装置用バイパス開閉器の異常診断方法は、
商用電源に一般負荷を接続すると共に、該商用電源にバイパス開閉器を介して特定負荷を接続し、且つ当該バイパス開閉器の負荷側に別途の電源で運転する電力変換装置を接続して無停電電源装置を構成し、前記バイパス開閉器を閉路して前記商用電源が前記一般負荷と特定負荷へ給電中に当該商用電源が停電すれば、前記電力変換装置を起動すると共に前記バイパス開閉器を開路する無停電電源装置の運転方法において、
前記無停電電源装置の運転準備が整った状態で、且つ前記バイパス開閉器に閉路指令が与えられるよりも前の時点で、当該バイパス開閉器の電源側端子の電圧と負荷側端子の電圧とを検出し、これら両電圧の差が所定値以上であるか否かを検出し、この差電圧が所定値以下のときに前記バイパス開閉器が異常であると判定する。
【０００９】
【発明の実施の形態】
図１は図２に図示の無停電電源装置の単線系統図に対応して本発明の実施例を表したフローチャートであって、無停電電源装置が運転を開始するのに先立つ運転準備段階を表している。
図１のフローチャートにおいて、無停電電源装置に運転準備指令を与える（処理１１）ことにより、商用電源２が定格電圧を出力していることを判定（判断２１）し、且つインバータ６が停止していることを判定（判断２２）すれば、バイパス開閉器５が開路していること（判断２３）を条件にして電源開閉器３に閉路指令（処理１２）を与える。この閉路指令に対応して電源開閉器３が閉路したことを検出（判断２４）すれば、バイパス開閉器５の電源側端子電圧と負荷側端子電圧を計測（処理１３）する。次いでこの両端子電圧の差電圧を演算（処理１４）し、この差電圧が商用電源２の電圧とほぼ同じであるか否かを判定（判断２５）する。
【００１０】
この差電圧が商用電源２の電圧とほぼ同じ（判断２５がイエスの場合）ならばバイパス開閉器５は開路しているとみなすことができるから、運転準備完了を発令（処理１５）して、次の段階へ進むことができる。一方、差電圧がほぼ零（判断２５がノーの場合）であるならば、バイパス開閉器５は閉路状態にあると考えられるから、インバータ６が運転するとその電力は特定負荷８と一般負荷９とに給電されることになり、当該インバータ６は過負荷トリップの恐れがある。よって警報を発令（処理１６）することになる。
【００１１】
【発明の効果】
停電時には重要な負荷のみにインバータからの電力を供給するように構成している無停電電源装置では、停電時にはバイパス開閉器を開路させることにより、インバータから非重要負荷へは電力が供給されないようにするのであるが、このバイパス開閉器に異常が生じて閉路したまま（例えば接点の溶着）だと、インバータから非重要負荷へも給電が行われることになり、このインバータが過負荷トリップする恐れがあり、無停電電源装置はその役割を果たすことができない不具合を生じてしまう。
【００１２】
これに対して本発明では、無停電電源装置が運転を開始する前の運転準備段階で、バイパス開閉器の電源側の端子電圧と負荷側の端子電圧との差電圧を比較することで、当該バイパス開閉器が開路状態にあるか否かを予めチェックするので、商用電源の停電時にバイパス開閉器が閉路したままの状態でインバータが運転することにより、当該インバータが過負荷になる危険を回避できる効果が得られる。
【図面の簡単な説明】
【図１】図２に図示の無停電電源装置の単線系統図に対応して本発明の実施例を表したフローチャート
【図２】商用電源停電時に特定負荷への給電を継続出来る無停電電源装置の一般的な構成を示した単線系統図
【符号の説明】
２        商用電源
３        電源開閉器
４        無停電電源装置
５        バイパス開閉器
６        インバータ
７        バッテリー
８        特定負荷
９        一般負荷
１１〜１６  処理
２１〜２５  判断
【図１】
2004282812.tif 000003
【図２】
2004282812.tif 000004